【事件の表示】
　特許第２９１７９９４号「電子機器及び通信端末装置」の請求項１ないし４に係る特許に対する特許異議の申立てについて、次のとおり決定する。
【結　論】
　訂正を認める。
　本件特許異議の申立てを却下する。
【理　由】
（１)手続の経緯
 　特許第２９１７９９４号の請求項１〜１７に係る発明についての出願は、平成３年６月２５日に出願した特願平３−１５２９７４号の一部を平成１０年６月２５日に新たな特許出願としたものであって、平成１１年４月２３にその特許の設定登録がされ、その後異議申立人　相原光政により特許異議の申立てがなされ、取り消し理由通知がなされ、その指定期間内である平成１２年６月１９日に訂正請求がなされたものである。
（２)訂正の適否についての判断
  ア．訂正の内容
 　訂正の内容は下記訂正事項（ａ）〜（ｉ）に記載したとおりである。
　・訂正事項（ａ）
　特許第２９１７９９４号発明の明細書中の特許請求の範囲の請求項１から請求項４を削除する。
　また、特許請求の範囲の請求項５から請求項１７は、訂正前の特許請求の範囲の請求項３の記載に訂正前の各請求項の記載を限定した記載とした独立項とし、加えて特許請求の範囲の請求項１から請求項４の削除に伴い、それぞれ請求項１から請求項１３にする。
　この訂正事項（ａ）に伴い、【発明の名称】、段落番号【０００１】、【０００２】、【０００４】、【０００５】、【００１０】、【００１１】、【００２５】を、以下に示す訂正事項（ｂ）から（ｉ）のように訂正する。
　・訂正事項（ｂ）
【発明の名称】　通信端末装置
　・訂正事項（ｃ）
【０００１】
【発明の属する技術分野】
本発明は、通信端宋装置に関する。
　・訂正事項（ｄ）
【０００２】
【従来の技術】
以下、従来の通信端末装置の一種である携帯電話装置について図８を参照しながら説明する。図に示すように、携帯電話装置本体３１の正面には操作ボタン３２および、液晶パネルを用いた各種状況を表示するための表示部３３を設け、装置本体３１の上方部には受話用のスピー力３４および、装置本体３１内に収納および引き出し可能なアンテナ３５を設け、装置本体３１の下方部には送話用のマイク３６を設けている。上記のように構成された従来の通信端末装置では、アンテナ３５を装置本体３１内に収納した状態にて携帯し、必要に応じてアンテナ３５を引き出し、表示部３３にて現時点での電界強度等の状況を確認し、操作ボタン３２にてダイヤル入力し発呼する。
　・訂正事項（ｅ）                                                            
【０００４】
【発明が解決しようとする課題】
このような従来の通信端末装置において、近年、技術の進歩と共に通信端末装置の小型化が進み、操作に必要なスイッチの面積，表示部の面積が小さくなってきており、その表面に設置できうるキーの数も限られてくる。
　・訂正事項（ｆ）
【０００５】１
ところで近年の通信端末装置は、（表１）に示されるように多数の機能が搭載されるようになっているが先に述べたように、キーの数は携帯電話では限られているので、１つのキーに複数の機能を割り当てる事が多く、複数の機能があるためにキーがどのような働きをするのかも明示されていないことが多い。
　・訂正事項（ｇ）
【００１０】
【課題を解決するための手段】
本発明は、上記従来の課題を解決するために、無線を介して電話回線との通信を行う無線部と、本体に設けられた回動操作手段と、機能情報に関する制御を指示する操作手段と、本体に設けられ機能情報を表示する表示手段と、前記回動操作手段の回動操作に応答して、複数の機能情報を順次表示手段に表示させるとと共に、前記操作手段の操作が行われると前記表示手段に表示されている機能情報に関する制御を行う制御手段とを設け、前記制御手段は、前記表示手段に順次表示させる複数の機能情報に、少なくとも動作開始時からの累積通話時間を前記表示手段に表示させるための機能情報を含む事を特徴とするものである。
　・訂正事項（ｈ）
【００１１】
（実施の形態１）
以下、本発明の通信端末装置について、これらの一種である携帯電話を例に実施
の形態１を図１〜図４を参照しながら説明する。
　・訂正事項（ｉ）
【００２５】
【発明の効果】
本発明は、本体に設けられた回動操作手段と、無線を介して電話回線との通信を行う無線部と、本体に設けられた回動操作手段と、機能情報に関する制御を指示する操作手段と、本体に設けられ機能情報を表示する表示手段と、前記回動操作手段の回動操作に応答して、複数の機能情報を順次表示手段に表示させるとと共に、前記操作手段の操作が行われると前記表示手段に表示されている機能情報に関する制御を行う制御手段とを設け、前記制御手段は、前記表示手段に順次表示させる複数の機能情報に、少なくとも動作開始時からの累積通話時間を前記表示手段に表示させるための機能情報を含む事を特徴とするものであるので、キーとは異なる回動操作をおこない、その操作に応じて順次機能情報が表示部に表示され、目的の機能の表示が表示部に表示させるという動作で機能の選択を行うようになるため、操作者が何の機能の選択を行ったか確認がとれ、キーのような複雑で何の操作に利用されるのか特定できないような操作を行わなくとも目的の機能を選択することが可能となる。くわえて、キー自体に機能を持たせずに済むため、キーを複数の機能で兼用させることが無くなり、キー操作自体も容易に行うことが出来るようになる。
 イ．訂正の目的の適否、新規事項の有無及び拡張・変更の存否、独立特許要件
 　前記訂正事項（ａ）は特許請求の範囲の減縮を目的とするものであり、また訂正事項（ｂ）〜（ｉ）は前記訂正事項（ａ）の特許請求の範囲の減縮に伴う明りょうでない記載の釈明を目的とするものであって、これらの訂正事項は、新規事項の追加に該当せず、また、実質上特許請求の範囲を拡張し、変更するものでもなく、訂正後の各請求項に係る発明は特許出願の際独立して特許をうけることができるものである。
 ウ．むすび
 　以上のとおりであるから、前記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１〜３項の規定に適合するので、当該訂正を認める。
（３)特許異議申立てについて
 ア．申立ての理由の概要
 　特許異議申立人　相原光政は、請求項１〜４に係る発明の特許は、特許法第２９条の２、特許法第２９条第２項、特許法第３６条の規定に違反する出願に対してなされたものであり取り消されるべき旨主張している。
 イ．判断
 　請求項１〜４に係る発明は、訂正の結果削除され、特許異議の申立ての対象が存在しない。
　よって、結論のとおり決定する
【異議決定日】
平成１２年６月２９日（２０００．６．２９）
【訂正の要旨】
　訂正の要旨
・訂正事項（ａ）
　特許第２９１７９９４号発明の明細書中の特許請求の範囲の減縮を目的として、特許請求の範囲の請求項１から請求項４を削除する。
　また、特許請求の範囲の請求項５から請求項１７は、訂正前の特許請求の範囲の請求項３の記載に訂正前の各請求項の記載を限定した記載とした独立項とし、加えて特許請求の範囲の請求項１から請求項４の削除に伴い、それぞれ請求項１から請求項１３とする。
　この訂正事項（ａ）に伴い、特許請求の範囲の記載と発明の詳細な説明の記載との整合性を図るため、明瞭でない記載の釈明として、【発明の名称】、段落番号【０００１】、【０００２】、【０００４】、【０００５】、【００１０】、【００１１】、【００２５】を、以下に示す訂正事項（ｂ）から（ｉ）のように訂正する。
・訂正事項（ｂ）
　【発明の名称】
　通
・訂正事項（ｃ）
　【０００１】
　【発明の属する技術分野】
　本発明は、
通信端末
・訂正事項（ｄ）
　【０００２】
　【従来の技術】
　以下、従来の
通信端末装置
一種
・訂正事項（ｅ）
　【０００４】
　【発明が解決しようとする課題】
　このような従来の
通信端末装置
通信端末装置
・訂正事項（ｆ）
　【０００５】
　ところで近年の
通信端末装置
・訂正事項（ｇ）
　【００１０】
　【課題を解決するための手段】
　本発明は、上記従来の課題を解決するために、
　無線を介して電話回線との通信を行う無線部と、本体に設けられた回動操作手段と、機能情報に関する制御を指示する操作手段と、本体に設けられ機能情報を表示する表示手段と、前記回動操作手段の回動操作に応答して、複数の機能情報を順次表示手段に表示させるとと共に、前記操作手段の操作が行われると前記表示手段に表示されている機能情報に関する制御を行う制御手段とを設け、前記制御手段は、前記表示手段に順次表示させる複数の機能情報に、少なくとも動作開始時からの累積通話時間を前記表示手段に表示させるための機能情報を含む事を特徴とするものである
・訂正事項（ｈ）
　【００１１】
　【発明の実施の形態】
　（実施の形態１）
以下、本発明
の通
・訂正事項（ｉ）
　【００２５】
　【発明の効果】
　本発明は、本体に設けられた回動操作手段と、
　無線を介して電話回線との通信を行う無線部と、本体に設けられた回動操作手段と、機能情報に関する制御を指示する操作手段と、本体に設けられ機能情報を表示する表示手段と、前記回動操作手段の回動操作に応答して、複数の機能情報を順次表示手段に表示させるとと共に、前記操作手段の操作が行われると前記表示手段に表示されている機能情報に関する制御を行う制御手段とを設け、前記制御手段は、前記表示手段に順次表示させる複数の機能情報に、少なくとも動作開始時からの累積通話時間を前記表示手段に表示させるための機能情報を含む事を特徴とする
作を
（５４）【発明の名称】
　通
（５７）【特許請求の範囲】
　【請求項
１
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも動作開始時からの累積通話時間を前記表示手段に表示させるための機能情報を含む事を特徴とす
る通
【請求項
２
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも利用者が設定を行ってからの累積通話時間を前記表示手段に表示させるための機能情報を含む事を特徴とす
る通
　【請求項
３
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくともその機能を選択する直前に利用した通話の通話時間を表示手段に表示するための機能情報を含む事を特徴とする通信端末装置。
　【請求項
４
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも通話中の所定時間毎に警告音を出力させる機能情報を含む事を特徴とす
る通
　【請求項
５
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも着信音の音量調整の機能を示す機能情報を含む事を特徴とす
る通
　【請求項
６
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも通話中の受聴音量を調整するための機能情報を含む事を特徴とす
る通
　【請求項
７
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくともキーを操作するときの確認音を出力させる機能情報を含む事を特徴とす
る通
　【請求項
８
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に１順次表示させる複数の機能情報に、少なくとも所定の使用者以外のキーを操作を不可能にする機能情報を含む事を特徴とす
る通
　【請求項
９
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に
表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも前記無線部による発信を不可能にする操作を不可能にする機能情報を含む事を特徴とす
る通
　【請求項
１０
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも着信を不可能にする事に関する機能情報を含む事を特徴とす
る通
　【請求項
１１
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも前記無線部による着信を不可能にする事に関する機能情報を含む事を特徴とする通信端末装置。
　【請求項
１２
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも所定時間の操作がないときに自動的に本体の電源をオフにする機能情報を含む事を特徴とす
る通
　【請求項
１３
　無線を介して電話回線との通信を行う無線部と、
本体に設けられた回動操作手段と、
機能情報に関する制御を指示する操作手段と、
本体に設けられ機能情報を表示する表示手段と、
前記回動操作手段の回動操作に応答して、複数の機能情報を順次表示手段に表示させるとと共に、前記操作手段の操作が行われると前記表示手段に表示されている機能情報に関する制御を行う制御手段とを設け、
前記制御手段は、前記表示手段に順次表示させる複数の機能情報に、少なくとも携帯無線装置本体を駆動するバッテリーの残量を前記表示手段に表示するための機能情報を含む事を特徴とす
る通
【発明の詳細な説明】
　【０００１】
　【発明の属する技術分野】
　本発明は、
通信端末
　【０００２】
　【従来の技術】
　以下、従来の
通信端末装置
一種
　【０００３】
　そして、ダイヤル入力した情報も表示部３３にて表示され確認が可能で、被呼者がオフフック後、マイク３６およびスピーカ３４にて通話を開始する。また、着信した際は操作ボタン３２にて通話処理を行い回線を接続し発呼者と通話を開始するものであった。
　【０００４】
　【発明が解決しようとする課題】
　このような従来の
通信端末装置
通信端末装置
　【０００５】
　ところで近年の
通信端末装置
　【０００６】
　【表１】
　【０００７】
　加えて、１つのキーで複数の機能を持たせるためには、複数のキー操作を組み合わせて行う事が多く、操作が複雑になってしまう。特に携帯電話装置の場合、記憶操作や表示操作などの機能選択を行う操作は複雑な操作をキー自体に何ら表記の無い手順で操作する事になりさらに操作が難しくなっていた。
　【０００８】
　さらに、携帯無線装置の場合、利用者が屋外で利用することが多く、操作の度にいちいち手順書を読み直すと言ったことが出来ない。結果として、利用者はこの難しい手順を覚えなければならず、機械操作の苦手な利用者はこの記憶操作や表示操作を行うことすら出来ないといった状況が生じていた。
　【０００９】
　本発明は上記従来の課題に鑑み、操作者にわかりやすくかつ負担にならない操作で、本体の機能の選択操作を行う事ができ
る通
　【００１０】
　【課題を解決するための手段】
　本発明は、上記従来の課題を解決するために、
　無線を介して電話回線との通信を行う無線部と、本体に設けられた回動操作手段と、機能情報に関する制御を指示する操作手段と、本体に設けられ機能情報を表示する表示手段と、前記回動操作手段の回動操作に応答して、複数の機能情報を順次表示手段に表示させるとと共に、前記操作手段の操作が行われると前記表示手段に表示されている機能情報に関する制御を行う制御手段とを設け、前記制御手段は、前記表示手段に順次表示させる複数の機能情報に、少なくとも動作開始時からの累積通話時間を前記表示手段に表示させるための機能情報を含む事を特徴とするものである。
　【００１１】
　【発明の実施の形態】
　（実施の形態１）
以下、本発明
の通
　【００１２】
　図に示すように、携帯電話の装置本体１の正面には操作ボタン２および液晶パネルを用いた各種状況を表示するための表示部３を設け、装置本体の上方部には受話用のスピーカ４および、装置本体１内に収納および引き出し可能なアンテナ５を設け、装置本体１の下方部には送話用のマイク６を設けている。そして、装置本体１のスピーカ４の表面側に、受話用孔７を有し、スピーカ４を覆う形状の回転式ノブ８を装置本体１に立設した複数の支持ローラ９で回転自在に支持し、回転式ノブ８の内側壁に回転を検知するロータリエンコーダ１０に連設した回転検知ローラ１１を当接している。
　【００１３】
　そして、回転式ノブ８の操作信号はノブ回転検知部１２で検知され、操作ボタン２の信号と共に制御部１３へ送られ表示部１４に表示されると共に、制御部１３から無線部１５に送られた信号によりユーザーの通話がスピーカ４およびマイク６を用いて行われる。また、通信信号の無線信号はアンテナ５を経由して送受信されるように構成してる。
　【００１４】
　上記構成において、第１は通信端末装置に短縮ダイヤルの記憶，呼び出し機能を実現する際、短縮番号を用いた記憶，呼び出しではなく、電話番号と同時に名前を登録し、名前を用いて呼び出す機能操作について説明する。
　【００１５】
　電話番号を登録する、あるいは呼び出す際に名前の入力において、操作ボタン２を用いてアルファベット入力モードにし、アルファベットを選択する。
　【００１６】
　まず、操作ボタン２を用いてアルファベット入力モードにはいる。次に、回転ノブ８を回し、右に回せばアルファベットはＡからＺの向きの降順に、左に回せばＺからＡの向きの昇準にアルファベットが変化する。入力したいアルファベットが表示された所で操作ボタン２のうち確定ボタンを押し、１文字のアルファベット入力が確定する。これを入力したい文字数だけ繰り返す。このとき、入力したいアルファベットから離れているときは速く、近いときには遅く回すことによりユーザーはアルファベットの表示の変化速度を制御できる。
　【００１７】
　第２は、名前による短縮ダイヤルの呼び出しの際、名前を全部入力して検索するのではなく、回転ノブ８を左に回せば、短縮ダイヤルの名前のＡからＺの降順に順序づけされて表示され、回転ノブ８を右に回せば短縮ダイヤルの名前のＺからＡの昇順に順序づけられて表示される。呼び出しを行いたい名前の所で操作ボタン２の発信キーを操作することにより発信が可能となる。このとき、入力したいアルファベットに並んでいる名前から離れているときは速く、近いときには遅く回すことによりユーザーは名前の表示の変化速度を制御できる。
　【００１８】
　第３に（表１）に示したような付加機能を選択する際に、付加機能のメニューから実際の付加機能を実行することで使い勝手の向上を図る。
　【００１９】
　メニューの選択の際、回転ノブ８を左に回せば、付加機能の降順に順序づけされて表示され、回転ノブ８を右に回せば付加機能の昇順に順序づけられて表示される。付加機能を実行したい所で操作ボタン２の確定キーを操作することにより付加機能の実行が可能となる。
　【００２０】
　この操作機能を実現するためのハードウェア構成は図１に示すように、ユーザーの操作が操作ボタン２より入力され、制御部１３に出力される。また、ユーザーの回転ノブ８の操作がノブ回転検知部１２により検出され、左回転、または右回転方向にどのくらい回転したかの情報が出力される。制御部１３では操作ボタン２およびノブ回転検知部１２の出力に応じた表示を表示部３で行うものである。
　【００２１】
　（実施の形態２）
　次に本発明の実施の形態２について図５〜図７を参照しながら説明する。なお、実施の形態１と同一部分には同一番号を付して詳細な説明は省略する。
　【００２２】
　図に示すように、スピーカ４および回転式ノブ８を回転自在に支持する支持ローラ９と、回転検知ローラ１１と連設したロータリエンコーダ１０を取り付け基板２０に設け、この取り付け基板２０に，回転式ノブ８が取り付け基板２０を介して押し下げられたことを検知するノブ押し下げ検知部２１を設け、このノブ押し下げ検知部２１で検知された信号は制御部１３に送られるように構成されている。上記構成において、作用を説明すると、第１実施の形態と同様に操作ボタン２を用いてアルファベット入力に入る。次に回転式ノブ８を回し、入力したいアルファベットが表示されたところで、回転式ノブ８を押し下げ、ノブ押し下げ検知部２１で検知して制御部１３により１文字のアルファベット入力を確定することとなる。
　【００２３】
　このように本発明の実施の形態の通信端末装置によれば、装置本体１に設けられるスピーカ４を覆うようにアルファベット入力を行う回転式ノブ８を配置しているので、装置本体１の形状が特に大形になることがなく使い勝手も良いものとなる。
　【００２４】
　また、第２実施の形態によれば回転式ノブ８を回し入力したいアルファベットが表示されたところで今迄操作していた回転式ノブ８を押し下げることにより、１文字のアルファベットの入力を確定することができるので、操作が簡単になるものである。
　【００２５】
　【発明の効果】
　本発明は、本体に設けられた回動操作手段と、
　無線を介して電話回線との通信を行う無線部と、本体に設けられた回動操作手段と、機能情報に関する制御を指示する操作手段と、本体に設けられ機能情報を表示する表示手段と、前記回動操作手段の回動操作に応答して、複数の機能情報を順次表示手段に表示させるとと共に、前記操作手段の操作が行われると前記表示手段に表示されている機能情報に関する制御を行う制御手段とを設け、前記制御手段は、前記表示手段に順次表示させる複数の機能情報に、少なくとも動作開始時からの累積通話時間を前記表示手段に表示させるための機能情報を含む事を特徴とする
作を
【図面の簡単な説明】
　【図１】
　本発明の第１実施の形態の通信端末装置の回路構成を示すブロック図
　【図２】
　同通信端末装置の外観斜視図
　【図３】
　同回転式ノブを取り付けた状態を示す内部を透視した正面図
　【図４】
　同回転式ノブを取り付けた状態を示す断面図
　【図５】
　本発明の第２実施の形態の通信端末装置の回路構成を示すブロック図
　【図６】
　同回転式ノブを取り付けた状態を示す内部を透視した正面図
　【図７】
　同回転式ノブを取り付けた状態を示す断面図
　【図８】
　従来の通信端末装置の外観斜視図
　【符号の説明】
　１　装置本体
　２　操作ボタン
　３　表示部
　４　スピーカ
　８　回転式ノブ
　１２　ノブ回転検知部
　１３　制御部
　２１　ノブ押し下げ検知部